(57)【要約】【課題】  小型で薄型の液体燃料電池の組立工数の削減と組立作業の簡素化を図り、生産性の高い液体燃料電池を提供する。【解決手段】  電極・電解質一体化物１が、一対の基板３ａ、３ｂの間に複数配置され、基板３ａ、３ｂの表面の一部には、電極・電解質一体化物１と電気的に接触する集電部５ａ、５ｂが配置され、複数の電極・電解質一体化物１は、集電部５ａ、５ｂによって電気的に接続され、一対の基板３ａ、３ｂは、リベット８により接合している液体燃料電池とする。【選択図】  図１
2006221849.tif 000002
【特許請求の範囲】
【請求項１】
酸素を還元する正極と、燃料を酸化する負極と、前記正極と前記負極との間に配置された固体電解質と、液体燃料貯蔵部とを含む液体燃料電池であって、
前記正極と、前記負極と、前記固体電解質とは、電極・電解質一体化物を構成し、
前記電極・電解質一体化物は、一対の基板の間に複数配置され、
前記基板の表面の一部には、前記電極・電解質一体化物と電気的に接触する集電部が配置され、
前記複数の電極・電解質一体化物は、前記集電部によって電気的に接続され、
前記一対の基板は、締結部材により接合していることを特徴とする液体燃料電池。
【請求項２】
前記締結部材は、リベットである請求項１に記載の液体燃料電池。
【請求項３】
前記リベットは、ガラス入りエポキシ樹脂、ポリテトラフルオロエチレン、硬質ポリ塩化ビニル、ポリプロピレン及びポリエチレンよりなる群から選択された少なくとも１種の樹脂から形成されている請求項２に記載の液体燃料電池。
【請求項４】
前記集電部は、金属薄膜から形成されている請求項１に記載の液体燃料電池。
【請求項５】
前記金属薄膜は、銅メッキ、金メッキ、銀メッキ及びハンダメッキよりなる群から選択された少なくとも一種のメッキから形成されている請求項４に記載の液体燃料電池。
【請求項６】
前記メッキの厚さは、１μｍ以上２００μｍ以下である請求項５に記載の液体燃料電池。
【請求項７】
前記基板は、ガラス入りエポキシ樹脂、ポリテトラフルオロエチレン、硬質ポリ塩化ビニル、ポリプロピレン及びポリエチレンよりなる群から選択された少なくとも１種の樹脂から形成されている請求項１に記載の液体燃料電池。
【請求項８】
前記基板の厚さは、０．３ｍｍ以上５ｍｍ以下である請求項７に記載の液体燃料電池。
【請求項９】
前記電極・電解質一体化物の周囲には、絶縁性弾性体がさらに配置されている請求項１に記載の液体燃料電池。
【請求項１０】
前記絶縁性弾性体は、シリコーンゴム、フッ素ゴム、ブチルゴム、ウレタンゴム、ポリプロピレン、ナイロン及びポリエチレンよりなる群から選択された少なくとも１種の有機高分子材料から形成されている請求項９に記載の液体燃料電池。
【請求項１１】
前記絶縁性弾性体の厚さは、０．１ｍｍ以上５ｍｍ以下である請求項１０に記載の液体燃料電池。
【請求項１２】
前記複数の電極・電解質一体化物は、同一平面上に配置されている請求項１に記載の液体燃料電池。
【請求項１３】
前記液体燃料貯蔵部は、気液分離膜で封孔された気液分離孔を含む請求項１に記載の液体燃料電池。
【発明の詳細な説明】
【技術分野】
【０００１】
本発明は、複数の単電池を平面上に配置した液体燃料電池に関する。
【背景技術】
【０００２】
近年、パソコン、携帯電話などのコードレス機器の普及に伴い、その電源である二次電池はますます小型化、高容量化が要望されている。現在、エネルギー密度が高く、小型軽量化が図れる二次電池としてリチウムイオン二次電池が実用化されており、モバイル機器用電源として需要が増大している。しかし、使用されるコードレス機器の種類によっては、このリチウム二次電池では未だ十分な連続使用時間を保証する程度までには至っていない。
【０００３】
このような状況の中で上記要望に応え得る電池として、電解質に固体高分子電解質、正極活物質に空気中の酸素、負極活物質に水素、メタノールなどの燃料を用いる固体高分子型燃料電池が、リチウムイオン二次電池よりも高エネルギー密度が期待できることから注目されている。なかでも、液体燃料であるメタノールを直接電池の反応に利用する直接メタノール型燃料電池は、電池本体に空気を供給するブロアや燃料を供給するポンプなどを用いなくてもよいため、小型化が可能であり、将来のポータブル電源として有望である（例えば、特許文献１参照。）。
【０００４】
また、最近では、複数の単電池を同一平面上に並べて、それぞれを連結し集電して薄型化を図った液体燃料電池も提案されている（例えば、特許文献２、特許文献３、特許文献４、特許文献５参照。）
【特許文献１】特開２０００−２６８８３６号公報
【特許文献２】特開２００４−１０３２６２号公報
【特許文献３】特開２００４−１４１４８号公報
【特許文献４】特開２００３−３２３９０２号公報
【特許文献５】特開２００３−２８２１３１号公報
【発明の開示】
【発明が解決しようとする課題】
【０００５】
しかし、隣り合う単電池を連結して集電しようとすると、その構造が複雑となり、電池性能に寄与しない連結のためのみのスペースを多く必要としてしまう。また、隣り合う単電池を確実に絶縁させながら、効率よく平面上に並べるには、正極、負極、固体電解質からなる電極・電解質一体化物に対して、その両面に一対の集電板を正確に位置合わせして配置するとともに、隣り合う集電板同士も正確に位置合わせして配置する必要がある。
【０００６】
例えば、特許文献２及び特許文献３に記載の集電方法は、発電要素である複数の電極・電解質一体化物を平面状に配置して、一対の集電板で電極・電解質一体化物を挟んで集電を行うものであるが、電極・電解質一体化物に対して一対の集電板の位置、隣り合う集電板の位置をそれぞれ合わせる必要があり、組立が困難である。
【０００７】
また、特許文献４に記載の集電方法は、発電要素である複数の電極・電解質一体化物を平面状に配置した後、アダプター部に装着して電極・電解質一体化物を接続して集電を行うものであるが、同様に、電極・電解質一体化物に対して一対の集電板の位置、隣り合う集電板の位置をそれぞれ合わせる必要があり、組立が困難である。
【０００８】
さらに、特許文献５に記載の集電方法のように、集電板を折り曲げて装着する方法や、隣り合う集電板リード部同士を溶接などで接合する方法もあるが、複雑な溶接工程や積層プロセスが必要で、生産性が低下する問題がある。
【０００９】
そこで、本発明は、上記問題を解決したもので、複数の単電池を平面上に配置した液体燃料電池の構造を改良することで、生産性の高い液体燃料電池を提供するものである。
【課題を解決するための手段】
【００１０】
本発明の液体燃料電池は、酸素を還元する正極と、燃料を酸化する負極と、前記正極と前記負極との間に配置された固体電解質と、液体燃料貯蔵部とを含む液体燃料電池であって、前記正極と、前記負極と、前記固体電解質とは、電極・電解質一体化物を構成し、前記電極・電解質一体化物は、一対の基板の間に複数配置され、前記基板の表面の一部には、前記電極・電解質一体化物と電気的に接触する集電部が配置され、前記複数の電極・電解質一体化物は、前記集電部によって電気的に接続され、前記一対の基板は、締結部材により接合していることを特徴とする。
【発明の効果】
【００１１】
本発明は、小型で薄型の液体燃料電池の組立工数の削減と組立作業の簡素化を図ることができ、生産性の高い液体燃料電池を提供できる。
【発明を実施するための最良の形態】
【００１２】
本発明の液体燃料電池の一例は、酸素を還元する正極と、燃料を酸化する負極と、正極と負極との間に配置された固体電解質と、液体燃料貯蔵部とを含み、正極と、負極と、固体電解質とは、電極・電解質一体化物を構成し、この電極・電解質一体化物は、一対の基板の間に複数配置されている。基板の表面の一部には、電極・電解質一体化物と電気的に接触する集電部が配置され、複数の電極・電解質一体化物は、この集電部によって電気的に接続されている。予め、基板に集電部を一体として配置することにより、電池組立時に基板と集電部とを位置合わせする必要がなく、部品点数を削減でき、組立工数を削減できる。
【００１３】
また、上記一対の基板は、締結部材により接合している。これにより、基板同士の接合を確実に行うことができるとともに、組立作業を簡素化できる。締結部材には、リベット、嵌合突起、ボルト・ナットなどを用いることができるが、接合作業が簡単で、強固に接合できるリベットが好ましい。また、嵌合突起とは、基板に一体化して設けた突起であり、リベットと同様の機能を有することが好ましい。また、締結部材は、複数を組み合わせて用いることもできる。
【００１４】
上記締結部材は、ガラス入りエポキシ樹脂、ポリテトラフルオロエチレン、硬質ポリ塩化ビニル、ポリプロピレン及びポリエチレンよりなる群から選択された少なくとも１種の樹脂から形成されていることが好ましい。金属製の締結部材に比べて、正極と負極との短絡の恐れがなく、ホットプレスなどによって上記一対の基板と一括して圧接して溶着させることができ、接合作業をより効率的に行えるからである。
【００１５】
上記集電部は、金属薄膜から形成されていることが好ましい。これにより、液体燃料電池をより薄型に形成できる。
【００１６】
上記金属薄膜は、銅メッキ、金メッキ、銀メッキ及びハンダメッキよりなる群から選択された少なくとも一種のメッキから形成されていることが好ましい。これらのメッキは導電性が高いからである。
【００１７】
また、上記メッキの厚さは、１μｍ以上２００μｍ以下であることが好ましい。この範囲内であれば、液体燃料などによりメッキ表面に腐食が発生しても導電性を確保でき、かつ、メッキ材料を過度に使用することもないからである。
【００１８】
上記基板は、ガラス入りエポキシ樹脂、ポリテトラフルオロエチレン、硬質ポリ塩化ビニル、ポリプロピレン及びポリエチレンよりなる群から選択された少なくとも１種の樹脂から形成されていることが好ましい。これらの樹脂は剛性が高いため、基板同士を強固に接合でき、その結果、電極・電解質一体化物と集電部との密着度も増して接触抵抗を低減でき、電池性能の向上を図ることができるからである。
【００１９】
また、上記基板の厚さは、０．３ｍｍ以上５ｍｍ以下であることが好ましい。この範囲内であれば、基板の強度を確保しつつ、電池をより薄型に形成できるからである。
【００２０】
上記電極・電解質一体化物の周囲には、絶縁性弾性体がさらに配置されていることが好ましい。これにより、基板同士の密着度が増して、液体燃料が電池外へ漏れることをより確実に防止できるともに、隣接する電極・電解質一体化物相互間を絶縁することもできる。また、基板同士を強固に接合できるので、電極・電解質一体化物と集電部との密着度も増して接触抵抗を低減でき、電池性能の向上を図ることができる。
【００２１】
上記絶縁性弾性体は、シリコーンゴム、フッ素ゴム、ブチルゴム、ウレタンゴム、ポリプロピレン、ナイロン及びポリエチレンよりなる群から選択された少なくとも１種の有機高分子材料から形成されていることが好ましい。これらは弾性及び絶縁性が高く、かつ、液体燃料に対する耐性も高いからである。
【００２２】
また、上記絶縁性弾性体の厚さは、０．１ｍｍ以上５ｍｍ以下であることが好ましい。この範囲内であれば、液体燃料が電池外へ漏れることをより確実に防止しつつ、電池をより薄型に形成できるからである。
【００２３】
上記複数の電極・電解質一体化物は、同一平面上に配置されていることが好ましい。これにより、電池をより薄型に形成できる。
【００２４】
上記液体燃料貯蔵部は、気液分離膜で封孔された気液分離孔を含んでいることが好ましい。これにより、液体燃料を漏液させることなく、電極反応で生成した二酸化炭素などを液体燃料貯蔵部から放出させることができる。
【００２５】
次に、本発明の実施の形態を図面に基づき説明する。
【００２６】
（実施形態１）
図１は、本発明の液体燃料電池の一例を示す分解斜視図である。図１において、複数の電極・電解質一体化物１は、一対の絶縁性弾性体２ａ、２ｂを介して、一対の基板３ａ、３ｂの間に複数配置される。また、基板３ｂの下には、液体燃料貯蔵部４が配置される。電極・電解質一体化物１は、後述する正極と、負極と、固体電解質膜とを積層して一体化して形成されている。電極・電解質一体化物１の形状は特に限定されないが、円形状、多角形状、矩形状などに形成できる。
【００２７】
基板３ａ、３ｂの表面の一部には、電極・電解質一体化物１と電気的に接触する集電部５ａ、５ｂが配置されている。集電部５ａは正極集電リード部６ａ１〜６ａ５と電気的に接続されており、集電部５ｂは負極集電リード部６ｂ１〜６ｂ５と電気的に接続されている。また、集電部５ａ、５ｂは、その両端部において、正極外部端子部７ａ及び負極外部端子部７ｂと電気的に接続されている。各電極・電解質一体化物１は、基板３ａ、３ｂを接合することにより、上下に配置された集電部５ａ、５ｂ及び正極集電リード部６ａ１〜６ａ５と負極集電リード部６ｂ１〜６ｂ５によって一括して電気的に直列に接続される。即ち、正極集電リード部６ａ１と負極集電リード部６ｂ１、同じく６ａ２と６ｂ２、６ａ３と６ｂ３、６ａ４と６ｂ４、６ａ５と６ｂ５とがそれぞれ電気的に接続され、正極外部端子部７ａと負極外部端子部７ｂとの間が、集電部５ａ、５ｂ及び電極・電解質一体化物１を介して電気的に直列に接続される。
【００２８】
基板３ａ、３ｂは、例えば、ガラス入りエポキシ樹脂、ポリテトラフルオロエチレン（ＰＴＦＥ）、硬質ポリ塩化ビニル、ポリプロピレン、ポリエチレンなどの絶縁性樹脂から形成され、その厚さは、０．３ｍｍ〜５ｍｍに設定されている。また、基板３ａ、３ｂにある程度の弾性を有する絶縁性樹脂を用いることで、上記絶縁性弾性体２ａ、２ｂの使用を省略できる。
【００２９】
液体燃料貯蔵部４は、例えば、ＰＴＦＥ、硬質ポリ塩化ビニル、ポリプロピレン、ポリエチレンなどの樹脂、ステンレス鋼などの耐食性金属などから形成できる。
【００３０】
集電部５ａ、５ｂは、例えば、銅メッキ、金メッキ、銀メッキ、ハンダメッキなどの厚さ１μｍ〜２００μｍの金属薄膜から形成されている。集電部５ａ、５ｂは、基板３ａ、３ｂの表面に無電解銅メッキを行い、その上からさらに金メッキを行うことにより形成することが好ましい。無電解銅メッキは絶縁性樹脂からなる基板３ａ、３ｂへの導電性下地メッキとして安定的であり、金メッキは接触抵抗などの電気的特性、耐食性に優れているからである。下地の銅メッキとその上の金メッキとの間に銀メッキを中間層として設けてもよい。中間層として金メッキよりも安価で電気伝導性が高い銀メッキを用いることにより、所定の厚さの集電部５ａ、５ｂを安価に形成できる。
【００３１】
また、集電部５ａ、５ｂは、基板３ａ、３ｂの表面部に、ほぼ均一に配置されていることが好ましい。これにより、集電部５ａ、５ｂを流れる電流密度を平均化できる。
【００３２】
基板３ａ及び基板３ｂには、貫通孔９が設けられ、貫通孔９にリベット８を挿入して圧接することにより、基板３ａと基板３ｂとを接合することができる。リベット８は、例えば、ガラス入りエポキシ樹脂、ＰＴＦＥ、硬質ポリ塩化ビニル、ポリプロピレン、ポリエチレンなどの絶縁性樹脂で形成されている。
【００３３】
また、基板３ｂには、突起１０が設けられており、突起１０と絶縁性弾性体２ａ、２ｂとは相互に嵌合するように形成されている。さらに、基板３ａには、電極・電解質一体化物１に空気を供給する空気孔１１が設けられ、基板３ｂには、電極・電解質一体化物１に液体燃料を供給する燃料供給孔１２が設けられている。また、基板３ａ、３ｂには、液体燃料貯蔵部４に通じる気液分離孔１３が設けられている。
【００３４】
絶縁性弾性体２ａ、２ｂは、電極・電解質一体化物１が配置される部分に開口部２ａ２、２ｂ２を備え、突起１０が挿入される部分及び気液分離孔１３に対応する部分に開口部２ａ１、２ｂ１を備えている。突起１０を開口部２ａ１、２ｂ１に挿入することにより、絶縁性弾性体２ａ、２ｂは、基板３ｂ上に配置される。また、絶縁性弾性体２ａ、２ｂは、例えば、シリコーンゴム、フッ素ゴム、ブチルゴム、ウレタンゴム、ポリプロピレン、ナイロン、ポリエチレンなどの有機高分子材料から形成され、その厚さは、０．１ｍｍ〜５ｍｍに設定されている。
【００３５】
図２は、図１の液体燃料電池の一部を組立てた状態の斜視図である。図１に示した本実施形態の液体燃料電池を組立てる際には、先ず図２に示したように、絶縁性弾性体２ａ、２ｂの間に電極・電解質一体化物１を挟持する。次に、前述のように絶縁性弾性体２ａ、２ｂを基板３ｂ上に配置する。この状態で、電極・電解質一体化物１の下面に基板３ｂの集電部５ｂが正確に位置合わせされて配置される。その後、絶縁性弾性体２ａ、２ｂの上に基板３ａを配置し、リベット８を貫通孔９に圧接することで、基板３ａと基板３ｂとを接合することができる。具体的には、絶縁性樹脂からなるリベット８を貫通孔９に挿入した後、ホットプレスなどによりリベット８を圧接し、リベット８の先端を潰すことにより固定する。これにより、前述のように正極外部端子部７ａと負極外部端子部７ｂとの間が電気的に直列に接続される。
【００３６】
続いて、基板３ｂと液体燃料貯蔵部４とを熱溶着などによって接合すれば、本実施形態の液体燃料電池の組立てがほぼ終了する。なお、基板３ａ、３ｂと液体燃料貯蔵部４とをボルト締結などにより接合することもできる。
【００３７】
図３は、図１の液体燃料電池を完全に組立てた状態の斜視図である。上記組立てが終了した後、気液分離孔１３から液体燃料を液体燃料貯蔵部４に注入し、気液分離孔１３を気液分離膜１４で封孔すれば、本実施形態の液体燃料電池が完成する。
【００３８】
図４は、図３のＩ−Ｉ線の断面図である。但し、図４は、図面の理解の容易のため、図３に比べて厚さ方向の寸法を拡大して示してある。図４において、電極・電解質一体化物１は、正極１５、負極１６、固体電解質膜１７を積層して一体化して形成され、それぞれ単電池を構成している。また、電極・電解質一体化物１は、同一平面上に複数配置されている。
【００３９】
正極１５は、例えば、カーボンクロス、カーボンペーパなどの多孔性の炭素材料からなる拡散層１５ａと、触媒を担持した炭素粉末からなる触媒層１５ｂとを積層して構成される。正極１５は酸素を還元する機能を有しており、その触媒には、例えば、白金微粒子や、鉄、ニッケル、コバルト、錫、ルテニウム又は金などと白金との合金微粒子などが用いられる。また、触媒層１５ｂには、ＰＴＦＥ樹脂粒子やプロトン交換樹脂粒子が含まれる場合がある。プロトン交換樹脂粒子としては、例えば、ポリパーフルオロスルホン酸樹脂粒子、スルホン化ポリエーテルスルホン酸樹脂粒子、スルホン化ポリイミド樹脂粒子などを用いることができる。拡散層１５ａの触媒層１５ｂ側の表面には撥水性向上のため、ＰＴＦＥ樹脂粒子を含む炭素粉末のペーストが塗布されている場合もある。
【００４０】
負極１６は、拡散層１６ａと触媒層１６ｂとからなり、燃料からプロトンを生成する機能、即ち燃料を酸化する機能を有しており、例えば、正極と同様に構成することができる。
【００４１】
固体電解質膜１７は、電子伝導性を持たず、プロトン伝導性のみを有する材料により構成される。例えば、ポリパーフルオロスルホン酸樹脂膜、具体的には、デュポン社製の“ナフィオン膜”（商品名）、旭硝子社製の“フレミオン膜”（商品名）、旭化成工業社製の“アシプレックス膜”（商品名）などの膜を使用できる。その他では、スルホン化ポリエーテルスルホン酸樹脂膜、スルホン化ポリイミド樹脂膜、硫酸ドープポリベンズイミダゾール膜などを使用できる。
【００４２】
燃料タンクとして機能する液体燃料貯蔵部４内には、負極活物質である液体燃料１８が充填されている。液体燃料１８としては、例えば、メタノール水溶液、エタノール水溶液、ジメチルエーテル、水素化ホウ素ナトリウム水溶液、水素化ホウ素カリウム水溶液、水素化ホウ素リチウム水溶液などが用いられる。
【００４３】
液体燃料貯蔵部４内の液体燃料１８は、基板３ｂに設けられた燃料供給孔１２を通して、負極１６に供給される。また、液体燃料１８を含浸して保持し且つ負極１６に供給する燃料吸い上げ材１９が、負極１６と接する部分を含む液体燃料貯蔵部４の内部に配置されている。これにより、液体燃料１８が消費されて残り少なくなっても、液体燃料１８と負極１６との接触が維持されるため、液体燃料１８を最後まで使い切ることができる。燃料吸い上げ材１９としては、ガラス繊維を用いることができるが、液体燃料を含浸可能で、その含浸によって寸法が余り変化せず、化学的にも安定なものであれば他の材料を用いてもよい。
【００４４】
基板３ａには空気孔１１が設けられ、空気孔１１を通して、正極活物質である空気中の酸素が正極１５に供給される。
【００４５】
電極・電解質一体化物１の間には、絶縁性弾性体２ａ、２ｂが配置されている。これにより、基板３ａ、３ｂ同士の密着度が増して、液体燃料１８が電池外へ漏れることをより確実に防止できるとともに、隣接する電極・電解質一体化物１の相互間を絶縁することもできる。また、基板３ａ、３ｂ同士を強固に接合できるので、電極・電解質一体化物１と集電部５ａ、５ｂとの密着度も増して接触抵抗を低減でき、電池性能の向上を図ることができる。
【００４６】
正極１５の拡散層１５ａと、基板３ａの集電部５ａとは、電気的に接続している。また、負極１６の拡散層１６ａと、基板３ｂの集電部５ｂとは、電気的に接続している。隣接する電極・電解質一体化物１の集電部５ａと集電部５ｂとは、前述のように上下に配置された正極集電リード部６ａ１、６ａ２と負極集電リード部６ｂ１、６ｂ２とが重なることにより、電気的に接続している。
【００４７】
基板３ａ、３ｂには、液体燃料貯蔵部４に通じる気液分離孔１３が設けられ、気液分離孔１３は、脱着可能な気液分離膜１４で封孔されている。気液分離膜１４は細孔を有するＰＴＦＥ製シートから形成でき、電極反応で生成した二酸化炭素などを液体燃料１８を漏液させることなく、液体燃料貯蔵部４から放出させることができる。また、気液分離膜１４を脱着可能とすることで、気液分離孔１３を液体燃料１８を補充する時の充填口としても使用できる。
【００４８】
（実施形態２）
図５は、本発明の液体燃料電池の他の一例を示す斜視図（実施形態１の図３に対応する図）である。図５では、図３と共通する部分には同一の符号を付した。
【００４９】
本実施形態の液体燃料電池は、液体燃料貯蔵部４の上下に、基板３ａ、３ｂ及び絶縁性弾性体２ａ、２ｂを配置した以外は、実施形態１の液体燃料電池とほぼ同様の構造である。本実施形態の構造とすることにより、発電有効面積を２倍にすることができ、液体燃料電池の出力を増加させることができる。
【００５０】
以上、本発明の実施の形態について説明したが、本発明は上記の実施の形態に限定されるものではない。
【産業上の利用可能性】
【００５１】
以上説明したように本発明は、液体燃料電池の組立工数の削減と組立作業の簡素化を図ることができ、生産性の高い小型で薄型の液体燃料電池を提供できる。また、本発明の液体燃料電池をパソコン、携帯電話などのコードレス機器の電源として用いることにより、コードレス機器の長期連続使用時間を確保できる。
【図面の簡単な説明】
【００５２】
【図１】本発明の液体燃料電池の一例を示す分解斜視図である。
【図２】図１の液体燃料電池の一部を組立てた状態の斜視図である。
【図３】図１の液体燃料電池を完全に組立てた状態の斜視図である。
【図４】図３のＩ−Ｉ線の断面図である。
【図５】本発明の液体燃料電池の他の一例を示す斜視図である。
【符号の説明】
【００５３】
１  電極・電解質一体化物
２ａ、２ｂ  絶縁性弾性体
２ａ１、２ａ２、２ｂ１、２ｂ２  開口部
３ａ、３ｂ  基板
４  液体燃料貯蔵部
５ａ、５ｂ  集電部
６ａ１、６ａ２、６ａ３、６ａ４、６ａ５  正極集電リード部
６ｂ１、６ｂ２、６ｂ３、６ｂ４、６ｂ５  負極集電リード部
７ａ  正極外部端子部
７ｂ  負極外部端子部
８  リベット
９  貫通孔
１０  突起
１１  空気孔
１２  燃料供給孔
１３  気液分離孔
１４  気液分離膜
１５  正極
１５ａ  拡散層
１５ｂ  触媒層
１６  負極
１６ａ  拡散層
１６ｂ  触媒層
１７  固体電解質膜
１８  液体燃料
１９  燃料吸い上げ材
【図１】
2006221849.tif 000003
【図２】
2006221849.tif 000004
【図３】
2006221849.tif 000005
【図４】
2006221849.tif 000006
【図５】
2006221849.tif 000007